(57)【要約】 【課題】  地震発生時に倒壊を防止するための免震機能を具えた墓石と言う新規な製品の提供を図る。【解決手段】墓石を構成する石材である中台(２)、上台(３)、竿石(４)の各積載合致部分に対し、下位側の石部材から立ち上がらせた免震用丸棒状弾性体(5及び７)を介して上位側石部材との係合を図ると共に、当該免震用丸棒状弾性体(5及び７)の免震的振動を妨げないような振動許容空間(６及び８)を、上位側の石部材の下面に夫々形成し、更に、上位側石部材と下位側石部材との積載合致間に、当該免震用丸棒状弾性体(5及び７)を貫通させて免震用滑動板(９及び１０)を夫々の挟持介在させたことを特徴とする免震機能を具えた墓石。【選択図】  図１
2013256834.tif 000002
【特許請求の範囲】
【請求項１】
墓石を構成する石材である中台(２)、上台(３)、竿石(４)の各積載合致部分に対し、下位側の石部材から立ち上がらせた免震用丸棒状弾性体(5及び７)を介して上位側石部材との係合を図ると共に、当該免震用丸棒状弾性体(5及び７)の免震的振動を妨げないような振動許容空間(６及び８)を、上位側の石部材の下面に夫々形成し、更に、上位側石部材と下位側石部材との積載合致間に、当該免震用丸棒状弾性体(5及び７)を貫通させて免震用滑動板(９及び１０)を夫々の挟持介在させたことを特徴とする免震機能を具えた墓石。
【請求項２】
免震用丸棒状弾性体(5及び７)の両者また何れか一方を、ゴム製円柱体(P)を用いるように構成した請求項１に記載の免震機能を具えた墓石。
【請求項３】
免震用丸棒状弾性体(5及び７)の両者また何れか一方を、コイルスプリング(Q)を用いるように構成した請求項１に記載の免震機能を具えた墓石。
【請求項４】
免震用丸棒状弾性体(5及び７)の両者また何れか一方を、コイルスプリング(Q)内にゴム製円柱体(P)を嵌入したものを用いるように構成した請求項１に記載の免震機能を具えた墓石。
【請求項５】
免震用丸棒状弾性体(5及び７)の両者また何れか一方を、コイルスプリング(Q)内に複数本を束ねたゴム製軸体(S)を嵌入したものを用いるように構成した請求項１に記載の免震機能を具えた墓石。
【請求項６】
免震用丸棒状弾性体(5及び７)の両者また何れか一方を、コイルスプリング(Q)内に、袋詰めされたゴムチップ(R)を嵌入したものを用いるように構成した請求項１に記載の免震機能を具えた墓石。
【請求項７】
免震用滑動板(９及び１０)の両者または何れか一方を、ステンレス板で形成した請求項１乃至請求項５の何れかに記載の免震機能を具えた墓石。
【請求項８】
免震用滑動板(９及び１０)の両者または何れか一方を、プラスチック板で形成した請求項１乃至請求項５の何れかに記載の免震機能を具えた墓石。
【発明の詳細な説明】
【技術分野】
【０００１】
本発明は、地震発生時の倒壊事故を防止するための免震機能を具えた墓石に関する。
【背景技術】
【０００２】
墓石とは、通常、最下位に位置して土台的役割を担う芝台の上に、中台、上台と称される台板状の石を重ね合わせ、その上に、竿石と称される縦長立方体状の石材を立てた状態で載置して成るものである。  すなわち、当該各石は互いに単に載置しただけであるため、振動に弱く、強い地震発生時には倒壊事故を招いてしまうことを余儀なくされた。
【０００３】
従来、このような事態発生を防止するための手段として、石材の各部を一括して連結するボルトを収装しておくようにしたものがある（例えば、特許文献１参照。）。  そして、これ以外の手段として、縦長立方体状を呈しているため最も倒れ易い部分である竿石の下端面を、台板状の石に対して嵌め込み連結を図るように構成したものがある（例えば、特許文献２参照。）。
【先行技術文献】
【特許文献】
【０００４】
【特許文献１】特開平９−１３７６３８号公報
【特許文献２】特開２００６−１５２０９０号公報
【発明の概要】
【発明が解決しようとする課題】
【０００５】
上述したような従来の手段は、何れも耐震手段に属し、倒れないように補強すると言う観点に基づくものであり、その耐震機能的には十分のものとは言えない手段である。
【０００６】
本発明は上記のような問題点の解消化を企図したものであり、耐震と言うよりも、震動を逃がしてやる免震的なものとすると共に、既存の墓石に対しても容易に実施可能とするような形態とした「免震機能を具えた墓石」と言う新規製品の提供を図ったものである。
【課題を解決するための手段】
【０００７】
本発明は請求項１に記載のように、墓石を構成する石材である中台２、上台３、竿石４の各積載合致部分に対し、下位側の石部材から立ち上がらせた免震用丸棒状弾性体5及び７を介して上位側石部材との係合を図ると共に、当該免震用丸棒状弾性体5及び７の免震的振動を妨げないような振動許容空間６及び８を、上位側の石部材の下面に夫々形成し、更に、上位側石部材と下位側石部材との積載合致間に、当該免震用丸棒状弾性体5及び７を貫通させて免震用滑動板９及び１０を夫々の挟持介在させたことを特徴とする免震機能を具えた墓石に係る。
【０００８】
本発明は請求項２に記載のように、免震用丸棒状弾性体5及び７の両者また何れか一方を、ゴム製円柱体Pを用いるように構成した請求項１に記載の免震機能を具えた墓石を実施の態様とする。
【０００９】
本発明は請求項３に記載のように、免震用丸棒状弾性体5及び７の両者また何れか一方を、コイルスプリングQを用いるように構成した請求項１に記載の免震機能を具えた墓石を実施の態様とする。
【００１０】
本発明は請求項４に記載のように、免震用丸棒状弾性体5及び７の両者また何れか一方を、コイルスプリングQ内にゴム製円柱体Pを嵌入したものを用いるように構成した請求項１に記載の免震機能を具えた墓石を実施の態様とする。
【００１１】
本発明は請求項５に記載のように、免震用丸棒状弾性体5及び７の両者また何れか一方を、コイルスプリングQ内に複数本を束ねたゴム製軸体Sを嵌入したものを用いるように構成した請求項１に記載の免震機能を具えた墓石を実施の態様とする。
【００１２】
本発明は請求項６に記載のように、免震用丸棒状弾性体5及び７の両者また何れか一方を、コイルスプリングQ内に、袋詰めされたゴムチップRを嵌入したものを用いるように構成した請求項１に記載の免震機能を具えた墓石。
【００１３】
本発明は請求項７に記載のように、免震用滑動板９及び１０の両者または何れか一方を、ステンレス板で形成した請求項１乃至請求項５の何れかに記載の免震機能を具えた墓石を実施の態様とする。
【００１４】
本発明は請求項８に記載のように、免震用滑動板９及び１０の両者または何れか一方を、プラスチック板で形成した請求項１乃至請求項５の何れかに記載の免震機能を具えた墓石を実施の態様とする。
【発明の効果】
【００１５】
本発明は請求項１に記載のような構成、すなわち、墓石を構成する石材である中台２、上台３、竿石４の各積載合致部分に対し、下位側の石部材から立ち上がらせた免震用丸棒状弾性体5及び７を介して上位側石部材との係合を図ると共に、当該免震用丸棒状弾性体5及び７の免震的振動を妨げないような振動許容空間６及び８を、上位側の石部材の下面に夫々形成し、更に、上位側石部材と下位側石部材との積載合致間に、当該免震用丸棒状弾性体5及び７を貫通させて免震用滑動板９及び１０を夫々の挟持介在させるように構成したから、下記するように地震発生時の倒壊事故を防止する。
【００１６】
すなわち、地震発生時、その震動に基づき、積み重なっている中台２、上台３、竿石４の各間において、水平方向への免震的滑り移動が生じることとなる。  そして、下位側の石部材の震動は、上位側の石部材に対して打ち消されるような震動として伝えられると言うような、所謂免震的伝達がなされるため、墓石全体としての揺れ動きの最小化が図られる。  従って、従来、墓石の倒壊事故を招いてしまうような大きな地震が生じても、当該墓石の倒壊確率を著しく低減化する。
【００１７】
本発明は請求項２に記載のような構成、すなわち、免震用丸棒状弾性体5及び７の両者また何れか一方を、ゴム製円柱体Pを用いるように構成することに依り、当該部分の廉価性が図られる。
【００１８】
本発明は請求項３に記載のような構成、すなわち、免震用丸棒状弾性体5及び７の両者また何れか一方を、コイルスプリングQを用いるように構成することに依り、当該部分の強靭性が図られる。
【００１９】
本発明は請求項４に記載のような構成、すなわち、免震用丸棒状弾性体5及び７の両者また何れか一方を、コイルスプリングQ内にゴム製円柱体Pを嵌入したものを用いるように構成することに依り、ゴム製円柱体Pは金属材料であるコイルスプリングQで保護されたような外観を呈するため。耐用性が著しく高められると同時に、可撓性の安定化が図られる。
【００２０】
本発明は請求項５に記載のような構成、すなわち、免震用丸棒状弾性体5及び７の両者また何れか一方を、コイルスプリングQ内に複数本を束ねたゴム製軸体Sを嵌入したものを用いるように構成することにより、当該ゴム製軸体Sの太さ及び本数を適宜設定に基づき、可撓性及び伸縮性に対するきめの細かい調節設定が可能化される。
【００２１】
本発明は請求項６に記載のような構成、すなわち、免震用丸棒状弾性体5及び７の両者また何れか一方を、コイルスプリングQ内に、袋詰めされたゴムチップRを嵌入したものを用いるように構成したから、製造コストの低減化を図ると共に、当該ゴムチップRの量により可撓性及び伸縮性の調節ができるため、最適とする免震性能の確保が可能化される。
【００２２】
本発明は請求項７に記載のような構成、すなわち、免震用滑動板９及び１０の両者または何れか一方を、ステンレス板で形成することに依り、この上に位置する石部材の免震的滑動のスムーズ性が得られると同時に、耐用性の高度化が図られる。
【００２３】
本発明は請求項８に記載のような構成、すなわち、免震用滑動板９及び１０の両者または何れか一方を、プラスチック板で形成することに依り、この上に位置する石部材の免震的滑動のスムーズ性が得られると同時に、製造コストの著減化が図られる。
【図面の簡単な説明】
【００２４】
【図１】本発明の要部を表した一部切欠正面図である。
【図２】図１におけるA―A線断面図である。
【図３】図１におけるB−B線断面図である。
【図４】図１におけるC−C線断面図である。
【図５】図１におけるD−D線断面図である。
【図６】本発明で用いる免震用丸棒状弾性体の第１の実施例を表した正面図である。
【図７】本発明で用いる免震用丸棒状弾性体の第２実施例を表した正面図である。
【図８】本発明で用いる免震用丸棒状弾性体の第３の実施例を表した縦断面図である。
【図９】本発明で用いる免震用丸棒状弾性体の第４の実施例を表した一部切欠平面図である。
【図１０】図９におけるE−E線断面図である。
【図１１】本発明で用いる免震用丸棒状弾性体の第５の実施例を表した平面図である。
【図１２】図１１におけるF−F線断面図である。
【発明を実施するための形態】
【００２５】
図１乃至図５は本発明の実施例を表したものである。  同図において、Mは墓石であって、通常、土台となる芝体１の上面に、中台２、上台３、竿石４と称される各ブロック状石材の積み重ねによって形成されている。  本発明は主として、このような通常形態の墓石を対象とするものである。
【００２６】
本発明の要旨とするところは、筆石４と上台３の間と、上台３と中台２の間に、それぞれ免震機能を持たせることに依って、墓石M全体に免震性が付与されるように構成したものである。
【００２７】
すなわち、筆石４と上台３の間においては、図１乃至図３に示すように、上台３の上面に嵌入立設した所要本数(図示の実施例にあっては４本)の免震用丸棒状弾性体５の上端を、筆石４の下面対応部に対し、当該免震用丸棒状弾性体５の免震的振動(揺れ動き)を妨げないように形成した振動許容空間６の中心部分において支承させるように構成してある。
【００２８】
また、筆石４と上台３の間においても、図１、図４及び図５に示すように、中台２の上面に嵌入立設した所要本数(図示の実施例にあっては４本)の免震用丸棒状弾性体７の上端を、上台３の下面対応部に対し、当該免震用丸棒状弾性体７の免震的振動(揺れ動き)を妨げないように形成した振動許容空間８の中心部分において支承させるように構成してある。
【００２９】
ところで、上記した各免震用丸棒状弾性体５及び７の下端部及び上端部の止着手段であるが、これは当該止着部分を単に挿し込むだけで良い。  すなわち、このような形態であっても、夫々の墓石部材自体の重量に依って安定化が図られることとなる。  従って、例えば接着剤等の特別の固定化手段を採る必要がない。
【００３０】
９は筆石４と上台３の間に介在させた免震用滑動板であって、地震発生時に、免震用丸棒状弾性体５の振れ動きの範囲内で、筆石４の下面を滑らせて免震作用を奏させるためのものである。
【００３１】
10は上台３と中台２の間に介在させた免震用滑動板であって、地震発生時に、免震用丸棒状弾性体7の振れ動きの範囲内で、上台３の下面を滑らせて免震作用を奏させるためのものである。
【００３２】
上記した免震用滑動板９及び10は、ステンレス板またはプラスチック板のような表面が滑動性に優れた材料に依って形成してある。  そして、その固定は、免震用丸棒状弾性体５または７の貫通に依りに成されており、特に別途の固定手段を採る必要はない。  然し乍、固定の完璧化を期す場合は、接着剤或いは螺子止め等の固定手段を採るように構成しても良い。
【００３３】
既述した免震用丸棒状弾性体５及び７であるが、これは、可撓性及び伸縮性を具えた材料から成るものであれば如何なる形態のものであっても可とする。
【００３４】
すなわち、図６に示すようなゴム製円柱体Pを用いての実施、図７に示すようなコイルスプリングQを用いての実施、図８に示すようにコイルスプリングQ内にゴム製円柱体Pを嵌入したものを用いての実施、図９及び図10に示すようにコイルスプリングQ内に袋詰めされたゴムチップRを嵌入したものを用いての実施、若しくは、図11及び図12に示すようにコイルスプリングQ内に複数本を束ねたゴム製軸体Sを嵌入したものを用いての実施等、如何なる形態のものであっても可とする。
【００３５】
上記構成に基づき、地震が発生した際に生じる各墓石構成石部材の揺れ動きに伴い、これと連動した免震用丸棒状弾性体５及び７の撓み的振動と、各墓石構成石部材間に設けた免震用滑動板９及び1０による上位側石部材の滑動とに基づき、各石部材間に免震的滑り作動が生じ、その揺れの最小化が図られる。  従って、大きな地震であっても、墓石倒壊と言うような事態発生を回避させる。
【符号の説明】
【００３６】
A     墓石   
１    芝台
２    中台
３    上台
４    竿石
５    免震用丸棒状弾性体
６    振動許容空間
７    免震用丸棒状弾性体
８    振動許容空間
９    免震用滑動板
10    免震用滑動板
P     ゴム製円柱体
Q     コイルスプリング
R     ゴムチップ
S     ゴム製軸体
【図１】
2013256834.tif 000003
【図２】
2013256834.tif 000004
【図３】
2013256834.tif 000005
【図４】
2013256834.tif 000006
【図５】
2013256834.tif 000007
【図６】
2013256834.tif 000008
【図７】
2013256834.tif 000009
【図８】
2013256834.tif 000010
【図９】
2013256834.tif 000011
【図１０】
2013256834.tif 000012
【図１１】
2013256834.tif 000013
【図１２】
2013256834.tif 000014